【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
一又は複数のコンピュータプロセッサを備え、
前記一又は複数のコンピュータプロセッサは、コンピュータ読み取り可能な命令を実行することにより、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させ、
前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させ、
前記第１ユーザ装置における前記表示指示オブジェクトへの操作に応じて、前記共演動画において前記第１キャラクタオブジェクトに対応付けて前記第１ギフトを表示するとともに前記第１ユーザ装置の画面から前記表示指示オブジェクトを削除する一方で前記第２ユーザ装置の画面からは前記表示指示オブジェクトを削除しない、
動画配信システム。
【請求項２】
前記一又は複数のコンピュータプロセッサは、前記第１ユーザ装置において前記表示指示オブジェクトが操作された後に前記第２ユーザ装置において前記表示指示オブジェクトが操作された場合に、前記共演動画において前記第２キャラクタオブジェクトに対応付けて前記第１ギフトを表示する、
請求項１に記載の動画配信システム。
【請求項３】
前記共演動画において、前記第１ギフトが前記第１キャラクタオブジェクト及び前記第２キャラクタオブジェクトの両方に対応付けて表示される、
請求項２に記載の動画配信システム。
【請求項４】
一又は複数のコンピュータプロセッサを備え、
前記一又は複数のコンピュータプロセッサは、コンピュータ読み取り可能な命令を実行することにより、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させ、
前記視聴ユーザ装置から第１ギフトに関する第１表示要求を受け付けたことに応じて、前記第１ユーザの第１ユーザ装置に表示指示オブジェクトを表示させ、
前記第１ユーザ装置における前記表示指示オブジェクトへの操作に応じて、前記第１ユーザ装置において前記複数のキャラクタオブジェクトの中から指定キャラクタオブジェクトの指定を受け付け、
前記共演動画において前記指定キャラクタオブジェクトに対応付けて前記第１ギフトを表示する、
動画配信システム。
【請求項５】
前記複数のキャラクタオブジェクトは、第３ユーザの動きに基づいて生成される第３キャラクタオブジェクトを含む、
請求項４に記載の動画配信システム。
【請求項６】
前記一又は複数のコンピュータプロセッサは、前記表示指示オブジェクトが選択された場合に、前記複数のキャラクタオブジェクトのうちのいずれかを選択するための選択肢を前記第１ユーザ装置に表示する、
請求項４又は５に記載の動画配信システム。
【請求項７】
一又は複数のコンピュータプロセッサを備え、
前記一又は複数のコンピュータプロセッサは、コンピュータ読み取り可能な命令を実行することにより、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させ、
前記視聴ユーザ装置から第１ギフトに関する第１表示要求を受け付けたことに応じて、前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させ、
前記第１ユーザ装置において前記表示指示オブジェクトが操作された場合には前記共演動画において前記第１キャラクタオブジェクトに対応付けて前記第１ギフトを表示するとともに前記第２ユーザ装置において前記表示指示オブジェクトを選択不能とし、前記第２ユーザ装置において前記表示指示オブジェクトが操作された場合には前記共演動画において前記第２キャラクタオブジェクトに対応付けて前記第１ギフトを表示するとともに前記第１ユーザ装置において前記表示指示オブジェクトを選択不能とする、
動画配信システム。
【請求項８】
前記第１ギフトは、装着部位と関連付けられた装着ギフトであり、
前記装着ギフトは、前記表示指示オブジェクトへの操作に応じて、前記共演動画において前記複数のキャラクタオブジェクトのいずれかの前記装着部位と対応する位置に表示される、
請求項１から７のいずれか１項に記載の動画配信システム。
【請求項９】
前記視聴ユーザから前記第１ギフトとは異なる第２ギフトに関する第２表示要求を受け付けたことに応じて、前記共演動画に前記第２ギフトを表示させる、
請求項１から８のいずれか１項に記載の動画配信システム。
【請求項１０】
前記第２ギフトは、前記複数のキャラクタオブジェクトの特定の部位と対応付けられずに前記共演動画に表示される、
請求項９に記載の動画配信システム。
【請求項１１】
前記第２ギフトは、前記共演動画において移動するように表示される、
請求項９又は１０に記載の動画配信システム。
【請求項１２】
前記第２ギフトは、前記視聴ユーザが前記第２ギフトを購入したことに応じて、前記共演動画に表示される、
請求項９から１１のいずれか１項に記載の動画配信システム。
【請求項１３】
前記表示指示オブジェクトは、操作によって選択可能なアクティベート状態と操作しても選択されないディアクティベート状態との間で切り替えられる、
請求項１から１２のいずれか１項に記載の動画配信システム。
【請求項１４】
前記共演動画は、前記視聴ユーザ装置により生成される、
請求項１から１３のいずれか１項に記載の動画配信システム。
【請求項１５】
前記共演動画は、前記第１ユーザ装置から受信した前記第１ユーザの動きを示す第１モーションデータ及び前記第２ユーザ装置から受信した前記第２ユーザの動きを示す第２モーションデータに基づいて生成される、
請求項１４に記載の動画配信システム。
【請求項１６】
一又は複数のコンピュータプロセッサがコンピュータ読み取り可能な命令を実行することにより実行される動画配信方法であって、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させる工程と、
前記第１ユーザ装置における前記表示指示オブジェクトへの操作に応じて、前記共演動画において前記第１キャラクタオブジェクトに対応付けて前記第１ギフトを表示するとともに前記第１ユーザ装置の画面から前記表示指示オブジェクトを削除する一方で前記第２ユーザ装置の画面からは前記表示指示オブジェクトを削除しない工程と、
を備える動画配信方法。
【請求項１７】
一又は複数のコンピュータプロセッサに、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させる工程と、
前記第１ユーザ装置における前記表示指示オブジェクトへの操作に応じて、前記共演動画において前記第１キャラクタオブジェクトに対応付けて前記第１ギフトを表示するとともに前記第１ユーザ装置の画面から前記表示指示オブジェクトを削除する一方で前記第２ユーザ装置の画面からは前記表示指示オブジェクトを削除しない工程と、
を実行させる動画配信プログラム。
【請求項１８】
一又は複数のコンピュータプロセッサがコンピュータ読み取り可能な命令を実行することにより実行される動画配信方法であって、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記第１ユーザの第１ユーザ装置に表示指示オブジェクトを表示させる工程と、
前記第１ユーザ装置における前記表示指示オブジェクトへの操作に応じて、前記第１ユーザ装置において前記複数のキャラクタオブジェクトの中から指定キャラクタオブジェクトの指定を受け付ける工程と、
前記共演動画において前記指定キャラクタオブジェクトに対応付けて前記第１ギフトを表示する工程と、
を備える動画配信方法。
【請求項１９】
一又は複数のコンピュータプロセッサに、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記第１ユーザの第１ユーザ装置に表示指示オブジェクトを表示させる工程と、
前記第１ユーザ装置における前記表示指示オブジェクトへの操作に応じて、前記第１ユーザ装置において前記複数のキャラクタオブジェクトの中から指定キャラクタオブジェクトの指定を受け付ける工程と、
前記共演動画において前記指定キャラクタオブジェクトに対応付けて前記第１ギフトを表示する工程と、
を実行させる動画配信プログラム。
【請求項２０】
一又は複数のコンピュータプロセッサがコンピュータ読み取り可能な命令を実行することにより実行される動画配信方法であって、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させる工程と、
前記第１ユーザ装置において前記表示指示オブジェクトが操作された場合には前記共演動画において前記第１キャラクタオブジェクトに対応付けて前記第１ギフトを表示するとともに前記第２ユーザ装置において前記表示指示オブジェクトを選択不能とし、前記第２ユーザ装置において前記表示指示オブジェクトが操作された場合には前記共演動画において前記第２キャラクタオブジェクトに対応付けて前記第１ギフトを表示するとともに前記第１ユーザ装置において前記表示指示オブジェクトを選択不能とする工程と、
を備える動画配信方法。
【請求項２１】
一又は複数のコンピュータプロセッサに、
第１ユーザの動きに基づいて生成される第１キャラクタオブジェクト及び第２ユーザの動きに基づいて生成される第２キャラクタオブジェクトを含む複数のキャラクタオブジェクトを含む共演動画を視聴ユーザの視聴ユーザ装置において再生させる工程と、
前記視聴ユーザ装置から第１ギフトに関する第１表示要求を受け付けたことに応じて、前記視聴ユーザ装置から第１ギフトに関する第１表示要求を受け付けたことに応じて、前記第１ユーザの第１ユーザ装置及び前記第２ユーザが使用する第２ユーザ装置に表示指示オブジェクトを表示させる工程と、
前記第１ユーザ装置において前記表示指示オブジェクトが操作された場合には前記共演動画において前記第１キャラクタオブジェクトに対応付けて前記第１ギフトを表示するとともに前記第２ユーザ装置において前記表示指示オブジェクトを選択不能とし、前記第２ユーザ装置において前記表示指示オブジェクトが操作された場合には前記共演動画において前記第２キャラクタオブジェクトに対応付けて前記第１ギフトを表示するとともに前記第１ユーザ装置において前記表示指示オブジェクトを選択不能とする工程と、
を実行させる動画配信プログラム。